(57)【要約】【課題】  釣った魚を取り逃がすことなく、みち糸に通し易く、年齢に関係なく、作業し易く、糸がらみなく、小型で持ち運びが容易な釣り用取り込み用具を得る。【解決手段】  スプール本体１０と、このスプール本体１０に巻きつけられた糸４ａ，４ｂと、この糸の先端に取り付けられた重り一体型掛け針７と、上記スプール本体１０と上記重り一体型掛け針７との間に糸よれを失くすための３点より戻し５と、魚を釣るみち糸に片手で装着可能な折り曲げ部を有する案内スナップ６を備える。【選択図】図１
2011004724.tif 000002
【特許請求の範囲】
【請求項１】
本発明の釣り用取り込み用具は、スプール本体と、このスプール本体に巻きつけられた糸と、この糸の先端に取り付けられた重り一体型掛け針と、上記スプール本体と上記重り一体型掛け針との間に糸よれを失くすための３点より戻しと、魚を釣るみち糸に片手で装着可能な折り曲げ部を有する案内スナップを備えたことを特徴とする釣り用取り込み用具。
【請求項２】
上記の案内スナップは、案内スナップのストレート部に対してみち糸挿入部分を外方向に３５度から８５度の角度で折り曲げられた折り曲げ部を設けたことを特徴とする請求項１記載の釣り用取り込み用具。
【請求項３】
上記スプール本体は、重り一体型掛け針を安全に収納固定できる複数の掛け針収納穴と隙間を設けたことを特徴とする請求項１又は２記載の釣り用取り込み用具。
【発明の詳細な説明】
【技術分野】
【０００１】  本発明は、魚釣りにおいて大きな魚がフックに掛った場合、安全に一人で簡単に操作でき、なおかつ、コンパクトで携帯しやすい釣り用取り込み用具に関するものである。
【背景技術】
【０００２】  従来の釣り用取り込み用具は、収納用具内のリールに巻かれた糸と、この糸の先端に取り付けられた３本針と、この３本針の近くの糸に取り付けられたスライド部材とを備えたものである。（例えば、特許文献１参照）。
【先行技術文献】
【特許文献】
【０００３】
【特許文献１】  実公平７−１１５８７号公報
【発明の概要】
【発明が解決しようとする課題】
【０００４】  従来の釣り用取り込み用具においては、スライド部材を魚を釣るみち糸に装着するという作業がかなり困難である。なぜならば、スライド部材をみち糸に通すには、魚が釣り針にかかっている場合、片手で竿先に重量のかかった竿を持ち、なおかつ竿先は細く柔らかなため、重量バランスをとり、竿を操りながらみち糸をもう片方の手に届く範囲まで持ってこなくてはならない。この作業だけでも難しいうえに、スライド部材にみち糸を通す隙間を作り、その隙間にみち糸を通すには非常に難しく時間がかかると言う問題点があった。また、釣りは昼夜問わず行われるものであり、夜間での作業はかなり難しく、年配の方々などスライド部材のみち糸入れ部が見え難く、指先での細かい作業が難しいという問題点もあった。よって、一連の動作の中で非常に神経を使うこととなり、釣り用取り込み用具でのスライド部材をみち糸に装着するのは問題がある。【０００５】  また、従来の釣り用取り込み用具は、糸よれ対策がしていない。沖で魚が掛かり、弱らせて海面に魚を浮かし、みち糸をたぐり寄せスライド部材を装着するのであるが、魚はその時足元の真下当りに寄っていて、その状態で釣り用取り込み用具で魚を取り込む作業をすると、必ずみち糸と用具との糸がらみが発生する。なぜならば、リールに糸を巻いている状態では、糸自体によれがつき、スライド部材を装着し落下させるまでの間中、針は横方向に回転しているため、落下中にすぐ隣にあるみち糸に用具の糸が絡み合い、魚の所まで針が到達できず取り込むことは不可能であるという問題点があった。【０００６】  また、従来の釣り用取り込み用具は、本体が大きく突起部位もあるため、移動しながらの釣りでは持ち運びが苦になる。持ち運びが楽でないと、使用しないといけない時に離れた場所に置いたまま手元にないため、釣った魚を取り込めず逃がしてしまう事が起こるという問題点があった。【０００７】  また、従来の釣り用取り込み用具は、角部が多く、ハンドル等の突起部位があるため、取り込み用の糸が本体の突起部分にかかりやすく、もつれやすいという問題点もあった。【０００８】  この発明は、釣った魚を取り逃がすことなく、みち糸に通し易く、年齢に関係なく、作業し易く、糸がらみなく、小型で持ち運びが容易な釣り用取り込み用具を得ることを目的とする。
【課題を解決するための手段】
【０００９】  この発明の釣り用取り込み用具は、スプール本体と、このスプール本体に巻きつけられた糸と、この糸の先端に取り付けられた重り一体型掛け針と、上記スプール本体と上記重り一体型掛け針との間に糸よれを失くすための３点より戻しと、魚を釣るみち糸に片手で装着可能な折り曲げ部を有する案内スナップを備えたものである。【００１０】  また、案内スナップは、案内スナップのストレート部に対してみち糸挿入部分を外方向に３５度から８５度の角度で折り曲げられた折り曲げ部を設けたものである。【００１１】  また、スプール本体は、重り一体型掛け針を安全に収納固定できる複数の掛け針収納穴と隙間を設けたものである。
【発明の効果】
【００１２】  この発明の釣り用取り込み用具は、従来からあるタモアミ、ギャフ、釣りの補助用具（実公平７−１１５８７）よりも、機能性かつ作業性に優れたものであり、一人で簡単に大型の魚を取り込み、昼夜問わず対処できる様に作られている。使用する年齢を問わず、針部は収納されているため安全であり、ポケットにも容易に収まる形態は、釣り道具の多種多様性の中においてコンパクトであり使用が簡単であるため喜ばれる事と思われる。
【図面の簡単な説明】
【００１３】
【図１】  本発明の実施の形態を示す釣り用取り込み用具の斜視図である。
【図２】  本発明の釣り用取り込み用具の正面図である。
【図３】  本発明の釣り用取り込み用具のラインスプール本体と掛け針を示す側面図である。
【図４】  本発明の釣り用取り込み用具のラインスプール本体と掛け針を示す側断面図である。
【図５】  案内スナップの斜視図である。
【図６】  案内スナップの使用説明図である。
【図７】  本発明の釣り用取り込み用具の使用説明図である。
【図８】  本発明の釣り用取り込み用具の使用説明図である。
【発明を実施するための形態】
【実施例１】
【００１４】  図１は、本発明の実施の形態を示す釣り用取り込み用具の斜視図である。図２は、釣り用取り込み用具の正面図である。図３は、釣り用取り込み用具の側面図である。図４は、釣り用取り込み用具のラインスプール本体と掛け針を示す側断面図である。図５は、案内スナップの斜視図である。図６は、案内スナップの使用説明図である。図７、図８は、釣り用取り込み用具の使用説明図である。【００１５】  図において、１００は釣り用取り込み用具であり、ラインスプール本体１０と、糸４ａ糸４ｂと、３点より戻し５と、案内スナップ６と、重り一体型掛け針７とにより構成されている。ラインスプール１は合成樹脂で円形に形成され、外周にライン仮止め用の複数の溝１ｆが形成され、片側端面には、重り一体型掛け針７の針先部７ａ収納のための複数の止まり穴１ａが設けてある。又、その端面には、スプール軸ナット３が入る様に段部１ｅが設けられている。スプール軸２は合成樹脂で形成され、軸方向に重り一体型掛け針７収納用の貫通穴２ｈを設けている。又、軸先端部は雄ネジ２ｃを設けている。スプール軸ナット３は、合成樹脂で形成され、内径にスプール軸２と締結できる雌ネジ３ｃを設けている。スプール軸ナット３の端面には、重り一体型掛け針７の針先部７ａを収納するための入口の切りかぎ溝３ｂがラインスプール１と同じ円周上の位置に外周向きに設けている。又、図２に示すように、複数の外周部３ａは、切りかぎ溝角部３ｄから次の切りかぎ溝角部３ｅ迄、中心点Ｘからの距離がわずかに違う曲線で結ばれ、外周部３ａとラインスプール１の内周１ｂとの隙間Ｙが反時計方向に次第に狭くなるように形成されている。【００１６】  上述のラインスプール本体１０は、ラインスプール１の内径とスプール軸２の外径及び両者の長さにわずかな隙間ができるよう寸法管理され、ラインスプール１の内径にスプール軸２を入れ、スプール軸ナット３で締結組立後、滑らかに回転する構造である。【００１７】  図１において、４ａ，４ｂは釣り用取り込み用具の糸であり、４ａはラインスプール本体１０に巻きつけられた糸、４ｂは３点より戻し５と重り一体型掛け針７とをつなぐ糸であり、大型の魚を取り込むのに適度な強度を要し、糸よれができにくいものを使用して、ラインスプール本体１０に巻きつけられている。５は釣り用取り込み用具の３点より戻しであり、海水で腐蝕しにくい材質のものである。取り込む対称魚により、適度な位置に固定し、重り一体型掛け針７を無回転で落下さすのに必要である。【００１８】  図１において、６は釣り用取り込み用具の案内スナップであり、海水で腐蝕しにくい材質（例えば、ステンレス鋼棒）を使用し重り一体型掛け針７の落下時の衝撃に耐えられるように、強度のある細い丸棒を図５に示すように折り曲げ形成し、この折り曲げ部の６ｂの角度θは、釣り用取り込み用具１００の案内スナップ本体６の直線部６ａに対して外側に３５度から８５度の折り曲げ角度が好ましい。
みち糸に案内スナップ６を挿入する方法は、先ず、図６（Ａ）に示すように、折り曲げ部６ｂをみち糸にあて、矢印方向に引くだけで，図６（Ｂ）に示すように、釣り用取り込み用具１００の案内スナップ６内にすばやくみち糸を入れることができる。７は釣り用取り込み用具１００の重り一体型掛け針であり、適度な重量及び針先先端部はするどい貫通力があり、対称魚によっては針の数を増やし取り替えが可能である。【００１９】  上述のように構成された本発明の釣り用取り込み用具１００使用方法を図７及び図８に基づき説明する。まず、魚を釣るためにはエサ及び擬似餌が魚に対し不自然な状態を察しできないよう、なるべく細いみち糸を使用する。実際、大きな魚を釣り針に掛けた場合、みち糸に対し、釣り針に掛けた魚が大きすぎるため、海面より引き抜き取り込むのは、細いみち糸の引っ張り強度的に無理であり、糸が切れて魚を取り逃したりする。よって、取り込むための用具が必要となるのである。その場合、本発明の釣り用取り込み用具１００を使用するのであるが、まず釣り針に魚を掛けた状態の時、魚は釣り針から逃れようと暴れる為、魚とやり取りしながら魚を弱らせ、海面に魚を浮かせた状態にして釣り竿を操作し、もう片方の手で、みち糸を持ち、手元までたぐり寄せ、釣り竿を持つ手又は釣り人の体の一部でみち糸を保持しておく。【００２０】  本発明の釣り用取り込み用具１００は、あいている片方の手で釣り用取り込み用具１００をポケットより取り出し、釣り用取り込み用具１００の重り一体型掛け針７を釣り用取り込み用具１００から取り外すと、釣り用取り込み用具１００の案内スナップ６も同じ線上にあるため出て来る。その釣り用取り込み用具１００の案内スナップ６の折り曲げ部６ａをみち糸に軽く添え引くだけで簡単にみち糸を釣り用取り込み用具１００の案内スナップ６の中に通すことができる（図６参照）。【００２１】  本発明の釣り用取り込み用具１００は、ラインスプール本体１０のスプール軸２とスプール軸ナット３を親指と人指し指ではさみ、ラインスプール１をフリーにすると、釣り用取り込み用具１００の案内スナップ６をみち糸に通してあるため、釣り用取り込み用具１００の重り一体型掛け針７は釣り用取り込み用具１００の３点より戻し５を装着しているため、重りの重量とで無回転で魚の所まで一気に糸絡みなくみち糸に添って落下する。（図７参照）。
この動作は片手のみで十分操作可能であり、又落下した釣り用取り込み用具１００の重り一体型掛け針７は釣りでかかった魚の適度な位置にあり、そのまま糸４ａを持ち引くだけで釣り用取り込み用具の重り一体型掛け針７の先端部７ａはするどい針先になっているため（図８参照）、即魚体の部位をつらぬくこととなる。【００２２】  本発明の釣り用取り込み用具１００は、従って、後は糸４ａを持ち、手で巻き取るだけで取り込みが終了する。使用後は、糸４ａ、４ｂをラインスプール本体に手で巻きつけ、釣り用取り込み用具１００の重り一体型掛け針７の収納は、鋭利な先端部をラインスプール本体の収納穴部１ａに入れ、スプール軸２（図４参照）を持ち、時計回りに軽く回転さす。すると、反対端面のスプール軸ナット３も同時に回転し（図２参照）、ラインスプール１ｂとスプール軸ナット３ａとの隙間にある釣り用取り込み用具１００の重り一体型掛け針７をスプール軸ナットの外周３ａ部があたり、押さえつけ固定する。取り出し方は、スプール軸２を逆方向に回せば取り出し可能である。【００２３】本発明の釣り用取り込み用具１００は、複数の掛け針収納穴１ａと隙間Ｙを設けたので、重り一体型掛け針７を安全に収納固定できると、ともにポケットに容易に収納できる。
【符号の説明】
【００２４】１  スプール、１ａ  掛け針収納穴、４ａ，４ｂ  糸、７  重り一体型掛け針、５  ３点より戻し、６  案内スナップ、６ｂ  折り曲げ部、１０  スプール本体、１００  釣り用取り込み用具、Ｙ  隙間
【図１】
2011004724.tif 000003
【図２】
2011004724.tif 000004
【図３】
2011004724.tif 000005
【図４】
2011004724.tif 000006
【図５】
2011004724.tif 000007
【図６】
2011004724.tif 000008
【図７】
2011004724.tif 000009
【図８】
2011004724.tif 000010